(57)【要約】      （修正有）【課題】建造物の壁面を有効に使うと共に美観も呈し、太陽光発電と植物育成とを両立させる太陽光発電緑化複合設備を提供する。【解決手段】太陽光発電設備２０と、建造物の壁面を緑化する設備とを具備する複合設備であって、太陽光発電設備における太陽電池パネル２３を、建造物の壁面またはその近傍に配置し、建造物壁面緑化設備における植物の鉢部１１を、太陽電池パネルによって日陰となり得る太陽電池パネル背面側下部に配置する。【選択図】図２
0003195403.tif 000002
【実用新案登録請求の範囲】
【請求項１】
太陽光発電設備と、建造物の壁面を緑化する設備とを具備する複合設備であって、
太陽光発電設備における太陽電池パネルを、建造物の壁面またはその近傍に配置し、
建造物壁面緑化設備における植物の鉢部を、太陽電池パネルによって日陰となり得る太陽電池パネル背面側下部に配置する
ことを特徴とする太陽光発電緑化複合設備。
【請求項２】
建造物壁面緑化設備における植物の支持体を、太陽電池パネルの背部に配置する
請求項１に記載の太陽光発電緑化複合設備。
【請求項３】
太陽電池パネルを固設する太陽光発電設備の枠体が、上部に開口した開口部を有し、その開口部を介して建造物壁面緑化設備が着脱自在である
請求項１または２に記載の太陽光発電緑化複合設備。
【請求項４】
太陽電池パネルを固設する太陽光発電設備の枠体が、下部に車輪を有し、その車輪を介して移動可能である
請求項１ないし３のいずれかに記載の太陽光発電緑化複合設備。
【請求項５】
太陽電池パネル背面側上部に反射板を有し、その反射板による反射光を太陽電池パネルまたは建造物壁面緑化設備の植物によって受光可能である
請求項１ないし４のいずれかに記載の太陽光発電緑化複合設備。
【考案の詳細な説明】
【技術分野】
【０００１】
本考案は、太陽光発電設備と、建造物の壁面を緑化する設備とを具備する複合設備に関する。
【背景技術】
【０００２】
建造物の壁面に太陽電池パネルを設置する場合、壁面に平行に太陽電池パネルを配置すると、傾斜させた配置より発電効率が低下する。その反面、傾斜設置した場合、太陽電池パネルによって生じる日陰が、下部の太陽電池パネルを覆わないようにするために、間隔を空けて太陽電池パネルを設置することになりデッドスペースが派生する。そのデッドスペースは、景観の点でも芳しくない。
【０００３】
太陽電池パネルと、従来の植物による緑化手段とを併存させる場合は、両者を近くに配置すると、太陽電池パネルによって生じる日陰が緑化部分を覆って植物の生育に悪影響を及ぼしたり、緑化部分が太陽電池パネルを覆って発電効率を低下させる難点がある。
【０００４】
太陽光発電設備と植物による緑化手段に関連する従来技術に、特許文献１〜５などがあるが、建造物の壁面を有効に使って、太陽光発電と植物育成とを両立させるものはなかった。
【先行技術文献】
【特許文献】
【０００５】
【特許文献１】特表２０１３−５３５９５９
【特許文献２】特開２０１１−１２９８５２
【特許文献３】特開２００３−２３５３５４
【特許文献４】実用新案登録３１８６５６０
【特許文献５】実用新案登録３１８３３３０
【考案の開示】
【考案が解決しようとする課題】
【０００６】
そこで、本考案は、建造物の壁面を有効に使うと共に美観も呈し、太陽光発電と植物育成とを両立させる太陽光発電緑化複合設備を提供することを課題とする。
【課題を解決するための手段】
【０００７】
上記課題を解決するために、本考案の太陽光発電緑化複合設備は、次の構成を備える。すなわち、太陽光発電設備と、建造物の壁面を緑化する設備とを具備する複合設備であって、太陽光発電設備における太陽電池パネルを、建造物の壁面またはその近傍に配置し、建造物壁面緑化設備における植物の鉢部を、太陽電池パネルによって日陰となり得る太陽電池パネル背面側下部に配置することを特徴とする。
【０００８】
ここで、建造物壁面緑化設備における植物の支持体を、太陽電池パネルの背部に配置してもよい。
【０００９】
また、太陽電池パネルを固設する太陽光発電設備の枠体に、上部に開口した開口部を設け、その開口部を介して建造物壁面緑化設備を着脱自在に構成してもよい。
【００１０】
太陽電池パネルを固設する太陽光発電設備の枠体の下部に車輪を設け、その車輪を介して移動可能な構成してもよい。
【００１１】
太陽電池パネル背面側上部に反射板を設け、その反射板による反射光を太陽電池パネルまたは建造物壁面緑化設備の植物によって受光可能な構成してもよい。
【考案の効果】
【００１２】
本考案によると、建造物の壁面及びその近傍にデッドスペースを生むことなく有効に使って、太陽光発電と植物育成とを行える。また、美観や夏の日除けにも寄与する。
【図面の簡単な説明】
【００１３】
【図１】建造物壁面緑化設備ユニットの実施例を示す要部正面斜視図
【図２】太陽光発電緑化複合設備の実施例を示す要部正面斜視図
【図３】同、要部正面斜視図
【図４】太陽光発電緑化複合設備の別実施例を示す要部側面図
【図５】本装置を建造物の壁面及びその近傍に設置した実施例を示す斜視説明図
【考案を実施するための最良の形態】
【００１４】
以下に、本考案の実施形態を、図面に示す実施例を基に説明する。なお、実施形態は下記の例示に限らず、本考案の趣旨から逸脱しない範囲で、前記特許文献など従来公知の技術を援用して適宜設計変更可能である。
【００１５】
図１は、建造物壁面緑化設備ユニットの実施例を示す要部正面斜視図であり、図２及び３は、本考案による太陽光発電緑化複合設備の実施例を示す要部正面斜視図及び要部背面斜視図である。なお、本実施例は、建造物の壁面に設置する設備として好適であるが、建造物の壁面の近傍の地面に同様に設置することも可能である。
建造物壁面緑化設備ユニット（１０）には、植物（３０）の植えられる鉢部（１１）と、鉢部（１１）から伸びる植物（３０）の支持体（１２）と、太陽光発電設備（２０）の枠体（２１）との接続部（１３）とを備える。
鉢部（１１）としては、図示の例の１つの直方体状に限らず、従来公知のプランターボックスが利用でき、また複数に分かれていてもよい。支持体（１２）は、鉢部（１１）の上方に延設され、金属網や支柱などで構成される。植物（３０）としては、簾の代用として利用可能な蔓植物が好ましい。
【００１６】
建造物壁面緑化設備ユニット（１０）は、太陽光発電設備（２０）の枠体（２１）に接続される。太陽光発電設備（２０）の枠体（２１）は、上部が開口し、その開口部（２２）を介して建造物壁面緑化設備ユニット（１０）を挿入し、その接続部（１３）と接続する構成が便利である。なお、建造物壁面緑化設備ユニット（１０）と太陽光発電設備（２０）の枠体（２１）との接続には、嵌合やネジ止めなど従来公知の手段が使用でき、着脱自在である構成が好ましい。
【００１７】
太陽光発電設備（２０）の枠体（２１）の形状は、側面視台形の四角錐台状が、建造物壁面緑化設備ユニット（１０）の着脱と安定性の点で好ましい。また、枠体（２１）は、図示の例のように、金属フレームでの組み立てが、軽量化や強度の点で好ましい。
このようなユニット構成であると、施工が容易であり、建造物壁面緑化設備ユニット（１０）の取り替えや、取り外して植物等の整備を行うのにも便利である。
【００１８】
太陽光発電設備（２０）の枠体（２１）の前面側には、略四角形の太陽電池パネル（２３）が取り付けられる。枠体（２１）への太陽電池パネル（２３）の接続には、０〜３０°程度まで傾斜角度を調整自在なネジ止めが、発電効率を高くする設定のために好ましい。
【００１９】
鉢部（１１）と支持体（１２）と太陽電池パネル（２３）との位置関係は、太陽電池パネル（２３）によって日陰となり得る太陽電池パネル（２３）背面側下部に鉢部（１１）を配置し、太陽電池パネルの背部に支持体（１２）を配置する。これによると、植物（３０）が繁茂しても太陽電池パネル（２３）に影を落とし発電効率低下を防止できると共に、鉢部（１１）が太陽電池パネル（２３）の影になるので、土壌の乾燥を防止できる。また、太陽電池パネル（２３）の陰になるデッドスペースに、鉢部（１１）やペットボトル等の貯水手段を置けて、美観上問題なくスペースが有効利用される。
太陽電池パネル（２３）や枠体（２１）を伝う雨滴を鉢部（１１）へ誘導する樋を設けて、灌水機能を付帯させてもよい。
なお、建造物の壁面への取り付けは、枠体（２１）の背部に備わるネジ（２４）や支持体（１２）背部に備わるネジ（１４）など従来公知の結合部材を介して行われる。
【００２０】
図４は、太陽光発電緑化複合設備の別実施例を示す要部側面図である。本実施例は、主に建造物の壁面の近傍の地面に載置するタイプを示す。
図２及び３に示した実施例との差異は、建造物壁面緑化設備がユニットされていず、太陽電池パネル（２３）によって日陰となり得る太陽電池パネル（２３）背面側下部に位置する太陽光発電設備（２０）の枠体（２１）に、鉢部（１１）が載置され、支持体（１２）が必須でない点である。支持体（１２）は枠体（２１）の一部で兼用可能でもある。
本実施例の場合に用いる植物（３０）としては、蔓植物以外の花卉や野菜などでもよい。
地面に載置する場合は、建造物の壁面への取り付けが不要であり施工が簡便である。また、鉢部（１１）がウエイトとして作用する利点がある。なお、太陽電池パネル（２３）に連なる蓄電池等の発電手段も、ウエイトとして枠体（２１）内に配置してもよい。
【００２１】
枠体（２１）の下端に車輪（２５）を設けて、移動容易な構成にしてもよい。これによると、日射の向きや発電状況などに応じて、装置の配向や、建造物との間隔などを微調整できる。なお、車輪（２５）の代わりに、移動可能な基礎または固定式の基礎を用いてもよい。
【００２２】
建造物の壁面（４０）に反射板（４１）を設けて、太陽電池パネル（２３）や植物（３０）への日射（矢印）を増加させてもよい。
本装置は、建造物の壁面（４０）またはその近傍に配置するので、必ずしも反射板（４１）がなくても壁面（４０）からの反射を受けるという特徴を有する。特に、植物（３０）は背部からの受光もあり満遍なく周囲から受光するので、鉢の向きを変える必要なく対称性良く生育する。
【００２３】
図５は、本装置を建造物の壁面（４０）及びその近傍に設置した実施例を示す斜視説明図である。図示の例では、壁面（４０）に取り付けるタイプの装置１０基と、壁面（４０）の近傍の地面に載置するタイプの装置５基とを連続させて設置している。なお、太陽電池パネル（２３）の群は、例えば市松模様の配置や１列おきの配置にしたりして適度に間引いて、植物（３０）への日射を増強させてもよい。
本実施例によると、太陽電池パネル（２３）及び植物（３０）を密に設けることができるため、スペースの有効利用や効率の良い発電及び植物（３０）育成や美観に寄与する。
建造物の壁面（４０）またはその近傍に配置すること、特に密に設けることは、荒天時に太陽電池パネル（２３）にかかり得る風圧を低減させる作用もある。
【産業上の利用可能性】
【００２４】
本考案によると、建造物壁面周辺のスペースを有効利用し、発電設備新設と緑化に寄与することができ、産業上利用価値が高い。
【符号の説明】
【００２５】
１０  建造物壁面緑化設備ユニット
１１  鉢部
１２  支持体
１３  接続部
１４  ネジ
２０  太陽光発電設備
２１  枠体
２２  開口部
２３  太陽電池パネル
２４  ネジ
２５  車輪
３０  植物
４０  建造物の壁面
４１  反射板
【図１】
0003195403.tif 000003
【図２】
0003195403.tif 000004
【図３】
0003195403.tif 000005
【図４】
0003195403.tif 000006
【図５】
0003195403.tif 000007